(57)【要約】【課題】リキャップが可能でパウチの代替に適したブロー成形スタンディング容器を提案する。【解決手段】薄肉の胴体壁部（１）と、この胴体壁部（１）の下端に一体的につながり該胴体壁部を内容物の有無にかかわりなしに起立させる薄肉の底壁部（２）と、前記胴体壁部（１）の上端隅部から一体的に突き出しその先端を開放して内容物の注出経路（３ａ）を形成する薄肉の注出部（３）と、前記胴体壁部（１）の上部で該注出部（３）に隣接して設けられ胴体壁部（１）の充填空間に内容物を供給する充填部分（４）とを備えたブロー成形スタンディング薄肉容器において、前記胴体壁部（１）に内容物の注出経路（３ａ）を必要に応じて閉塞させる栓体（６）を一体成形する。【選択図】図１
2005096824.tif 000002
【特許請求の範囲】
【請求項１】
内容物の充填空間を区画形成するとともに該充填空間の減容を可能とする薄肉の胴体壁部と、この胴体壁部の下端に一体的につながり該胴体壁部を内容物の有無にかかわりなしに起立させる薄肉の底壁部と、前記胴体壁部の上端隅部から一体的に突き出しその先端を開放して内容物の注出経路を形成する薄肉の注出部と、前記胴体壁部の上部で該注出部に隣接して設けられ胴体壁部の充填空間に内容物を供給する充填部分とを備えたブロー成形スタンディング薄肉容器であって、
前記胴体壁部に内容物の注出経路を必要に応じて閉塞させる栓体を一体成形してなることを特徴とするブロー成形スタンディング薄肉容器。
【請求項２】
前記栓体は、離脱可能に一体成形されたものである請求項１記載のブロー成形スタンディング薄肉容器。
【請求項３】
前記注出部と充填部分との相互間に谷部を設け、この谷部に内容物の注出経路を必要に応じて閉塞させる栓体を一体成形する請求項１又は２記載のブロー成形スタンディング薄肉容器。
【請求項４】
栓体が、注出部の開放端より差し込んで注出経路を閉塞させる楔状のリブである請求項１〜３の何れかに記載のブロー成形スタンディング薄肉容器。
【請求項５】
栓体が、注出部の折り返し域を両側から挟み込んで注出経路を閉塞させるクリップからなる請求項１〜３の何れかに記載のブロー成形スタンディング薄肉容器。
【請求項６】
前記注出部は、その外側面の対向位置に、折り返しの基点を形成するノッチを有する請求項５記載のブロー成形スタンディング薄肉容器。
【請求項７】
前記注出部は、その外側面に、折り返しの基点を形成するラインを有する請求項５又は６記載のブロー成形スタンディング薄肉容器。
【請求項８】
注出部はその外側面にクリップの抜け止め防止用の凸部を有する請求項５〜７の何れかに記載のブロー成形スタンディング薄肉容器。
【請求項９】
前記注出部はその外側面の対向位置に、注出経路の閉塞状態を補助するリブを有する請求項１〜８の何れかに記載のブロー成形スタンディング薄肉容器。
【発明の詳細な説明】
【技術分野】
【０００１】
本発明は、合成樹脂製のフィルムや金属製のフィルムにて構成されるパウチの代替に適したブロー成形スタンディング薄肉容器に関するものであり、とくに容器の開封後に内容物が残るようなことがあっても、容器を確実に密閉（リシール）し残存する内容物の品質を安定的に保持しようとするものである。
【背景技術】
【０００２】
シャンプーやリンス、液体石鹸、化粧料等を入れておく据え置きタイプの容器は内容物の適量注出を可能とするディスペンサーを装着したものが一般に使用されており、このような容器に内容物を補充するに当たっては、構成材料を極力削減すべく合成樹脂製のフィルムや金属製のフィルムを張り合わせたパウチや合成樹脂（例えば延伸ポリプロピレン樹脂）からなる薄肉ブローボトルが詰め替え容器として用いられている（例えば特許文献１、特許文献２参照）。
【特許文献１】特開平１１−１１４９６号公報
【特許文献２】特開２００２−２２５８４２号公報
【発明の開示】
【発明が解決しようとする課題】
【０００３】
従来の詰め替え容器のうち、パウチは、容器の減容化が可能であり製造コストの軽減、使用材料の削減を図ることができることから詰め替え用の容器として広く使用されているが、該容器は一旦開封してしまうと封をすることができないのが普通であり、内容物の充填にかかわる容器の容量がパウチの容量よりも小さい場合には詰め替え容器の中にそのまま内容物を保存しておかなければならず、その処置に苦慮しているのが現状であった。
【０００４】
一方、薄肉のブローボトルは、口部にキャップを備えており、内容物が余ったとしてもキャップによって栓をすることで内容物を保存しておくことが可能でパウチのような問題はとくにないものの、ボトル型の容器は薄肉化により使用材料の削減を図っている割りには割高感を与えるためにパウチのような容器に比較すると販売促進に対する消費者へのアピール性に物足りなさが残されていた。
【０００５】
なお、パウチにつき、その注出部に硬質の注出管を組付け、この注出管にキャップを装着する試みがなされているけれども、このようなパウチは構成部材の増加や製造工程の付加が必要不可欠になることから製造コストの上昇を招く不利があり、パウチが本来もっている利点を損ないかねない。
【０００６】
本発明の課題は、簡単な仕組みでもってリキャップでき、しかもコンパクトに折り畳むことを可能としたパウチの代替に適した新規なブロー成形スタンディング薄肉容器を提案するところにある。
【課題を解決するための手段】
【０００７】
本発明は、内容物の充填空間を区画形成するとともに該充填空間の減容を可能とする薄肉の胴体壁部と、この胴体壁部の下端に一体的につながり該胴体壁部を内容物の有無にかかわりなしに起立させる薄肉の底壁部と、前記胴体壁部の上端隅部から一体的に突き出しその先端を開放して内容物の注出経路を形成する薄肉の注出部と、前記胴体壁部の上部で該注出部に隣接して設けられ胴体壁部の充填空間に内容物を供給する充填部分とを備えたブロー成形スタンディング薄肉容器であって、
前記胴体壁部に内容物の注出経路を必要に応じて閉塞させる栓体を一体成形してなることを特徴とするパウチの代替に適したブロー成形スタンディング薄肉容器である。
【０００８】
前記栓体は、離脱可能に一体成形するのがよく、その形成位置は、注出部と充填部分との相互間に谷部を設け、この谷部に一体成形することができる。
【０００９】
また、上記の構成になる容器において栓体は、注出部の開放端より差し込んで注出経路を閉塞させる楔状のリブとするか、あるいは注出部を折り返してその折り返し域を両側から挟み込んで注出経路を閉塞させるクリップからなるものを適用するのが望ましい。
【００１０】
前記注出部は、その外側面の対向位置に、折り返しの基点を形成するノッチを設けることができる。
【００１１】
前記注出部は、その外側面に、折り返しの基点を形成するラインを設けることができる。
【００１２】
注出部は、その外側面にクリップの抜け止め防止用の凸部を形成し得る。
【００１３】
さらに、本発明においては、前記注出部はその外側面の対向位置に、注出経路の閉塞状態を補助するリブを設けることができる。
【発明の効果】
【００１４】
内容物が残ってもリシールすることが可能であり、開封状態で保存しておかなければならないパウチと異なり、内容物の品質を安定保持できるとともに、容器の転倒等によって内容物がこぼれ出ることもない。また、胴体壁部を相互に密着させる折畳みによりコンパクト化が可能になる。
【発明を実施するための最良の形態】
【００１５】
以下、図面を用いて本発明をより具体的に説明する。
【００１６】
図１（ａ）（ｂ）は本発明に従うブロー成形スタンディング薄肉容器の第１の実施の形態を示したものである。
【００１７】
図における１は内容物の充填空間を区画形成するとともに対向する側壁同士を相互に密着（折畳み）させて該充填空間の減容を可能とする薄肉の胴体壁部、２は胴体壁部の下端に一体的につながり該胴体壁部１を内容物の有無にかかわりなしに起立させる薄肉の底壁部、３は胴体壁部１の上端隅部から一体的に突き出しその先端を開放して内容物の注出経路を形成する薄肉の注出部、４は胴体壁部１の上部で該注出部３に隣接して設けられ胴体壁部１の充填空間に内容物を供給する充填部分であって、この充填部分４は内容物の充填後に熱融着等によって容器を密閉するシール部４ａを有する。
【００１８】
また、５は注出部３と充填部分４の相互間に形成される谷間、６は谷間５に引きちぎりによって離脱可能に一体成形された楔状のリブを例として示した栓体、そして７は注出部３の根元近傍域の胴体壁部１において設けられ該注出部３を注出経路３ａと空気流通路３ｂに分岐する貫通孔である。
【００１９】
注出部３の突端部３ｃを切り取りラインＬに沿って切り離すことにより注出経路３ａが開放され内容物の注出が可能になる。
【００２０】
かかる容器においてリキャップするには、まず、栓体６を図２に示すように引きちぎりにより取り外し、それを図３に示す如く、注出部３の開放端より差し込む。
【００２１】
注出部３は薄肉であり、栓体６が差し込まれると該注出部３は栓体６の周りにぴったりと密着することになり、たとえ容器が転倒しても内容物が簡単にこぼれ出ることはない。
【００２２】
図４は本発明に従う容器の第２の実施の形態を示したものである。図における８は注出部３を折り返しの基点を形成するライン、９はライン８の端部（対向位置）において形成され折り返し部を容易に形成するためのノッチ、そして１０はライン８を挟んで設けられた一対の凸部である。
【００２３】
上掲図４に示した構成になる容器は、注出部３の突端部３ｃをラインＬに沿って切り離すことで図１に示したものと同様に注出経路３ａが開放され内容物の注出が可能になる。
【００２４】
リキャップに当たっては、ライン８に沿って注出部３を折り返し、図５に示すように凸部１０の直下で栓体６の切り欠部６ａを差し込み注出部３の折り返し域を両側から挟み込んで注出経路３ａを閉塞させる。
【００２５】
図６に注出部３を閉塞させた状態の側面図を示す。切り欠部６ａを有するクリップタイプの栓体６を用いることで注出部３の閉塞がより確実となるだけでなく、該栓体６に対して図中矢印のような力が加わっても凸部１０が抜け止めとして機能するため栓体６が簡単に抜け落ちることはない。
【００２６】
図７（ａ）〜（ｃ）は本発明に従う容器の第３の実施の形態を示したものであり、図７（ａ）は容器の上部拡大図、図７（ｂ）はＡ−Ａ断面図、そして図７（ｃ）はＢ−Ｂ断面図である。
【００２７】
かかる構成になる容器は、図７（ａ）に示すように、注出部３の突端部３ｃをラインＬに沿って切り離すことで上掲図１及び図４に示したものと同様に注出経路３ａが開放され内容物の注出を可能とするものであり、この点では何ら変わるところはないが、この例では谷間５には離脱不能に一体成形され引きちぎることのできない栓体１１が配置されており、注出部３の外側面の対向位置には、凸状をなす縦リブ１２（注出経路の閉塞状態を補助する機能を有する）と、凸及び凹状をなす横リブ１３ａ、１３ｂがそれぞれ設けられている。
【００２８】
この容器のリキャップは、まず、注出方向に平行に設けられた縦リブ１２に沿って注出部３を潰すように変形させたのち、横リブ１３ｂを基点にして充填部分４に向けて折り返し、図８に示すように注出部３の先端を栓体１１に設けた切り欠部１１ａに差し込むことによって行われ、これにより注出経路３ａは閉塞状態に保持される。
【００２９】
このような構成になる容器においては、簡単に折り返しができるように横リブ１３ａ、１３ｂは、凸状をなす横リブ１３ａを折り返し部の外側に設け、凹状をなす横リブ１３ｂを折り返し部の内側に設けるのが好ましい。
【００３０】
次に、図９は本発明に従う容器の第４の実施の形態（図７に示した容器の変形例）を示したものである。
【００３１】
この例の容器は、凸状をなす縦リブ１２を上掲図７に示したものと同様の位置に設け、切り欠部１１ａを有する栓体１１を注出部３の前方に形成するとともに、凸状をなす横リブ１３ａを折り返し部の外側領域となる谷部５側に、また、凹状をなす横リブ１３ｂを折り返し部の内側領域となる注出部３の前方側にそれぞれ成形した構成のものである。このような構造の容器のリキャップは注出部３を縦リブ１２に沿って潰すように変形させたのち、横リブ１３ｂを基点にして該注出部３の前方に向けて折り返し、図７に示したものと同様に注出部の先端を栓体１１に設けた切り欠部１１ａに差し込めばよい。
【００３２】
本発明に従う容器は、パウチのように折畳みが可能な程度の肉厚を有するブロー成形容器であって、簡易な工程を経ることによって製造することができるためコストの軽減が可能になる。なお、容器に使用される樹脂はポリエチレンやポリプロピレンなどのオレフィン系熱可塑性樹脂あるいはポリエチレンテレフタレートに代表されるポリエステル樹脂などブロー成形可能な樹脂であれば任意に使用することができ、その層構成も前記樹脂の単層、積層構造を任意に採用することが可能であり、さらには、ＥＶＯＨやナイロンなどのバリア層を介在させてもよい。
【００３３】
また、栓体６は前記実施例の如く注出部３と充填部分４との相互間の谷間５に一体成形する場合について示したが、その形状に合わせ胴体壁部１の任意の箇所に一体成形することも可能であり、この点についてはとくに限定されない。
【産業上の利用可能性】
【００３４】
容器内に内容物が残ってもリキャップできるため内容物の品質を保持することが可能であり、また、容器が転倒しても簡単にこぼれることがないのでパウチの代替として幅広い分野に適用し得る。
【図面の簡単な説明】
【００３５】
【図１】本発明の第１の実施の形態を示した図であり、（ａ）は正面図、（ｂ）は側面図である。
【図２】図１に示した容器において栓体を取り外す状態を示した図である。
【図３】図１に示した容器においてリキャップした状態を示した図である。
【図４】本発明に従う容器の第２の実施の形態を示した図である。
【図５】図４に示した容器においてリキャップした状態を示した図である。
【図６】図４に示した容器の注出部３を閉塞させた状態の側面図である。
【図７】本発明に従う第３の実施の形態を示した図であり、（ａ）は容器の上部拡大図であり、（ｂ）はＡ−Ａ断面図であり、（ｃ）はＢ−Ｂ断面図である。
【図８】図７に示した容器においてリキャップした状態を示した図である。
【図９】本発明に従う容器の第４の実施の形態を示した図である。
【符号の説明】
【００３６】
１  胴体壁部
２  底壁部
３  注出部
３ａ  注出経路
３ｂ  空気流通路
３ｃ  突端部
４  充填部分
４ａ  シール部
５  谷間
６  栓体
７  貫通孔
８  ライン
９  ノッチ
１０  凸部
１１  栓体
１１ａ  切り欠部
１２  凸状をなす縦リブ
１３ａ  凸状をなす横リブ
１３ｂ  凹状をなす横リブ
Ｌ  ライン
【図１】
2005096824.tif 000003
【図２】
2005096824.tif 000004
【図３】
2005096824.tif 000005
【図４】
2005096824.tif 000006
【図５】
2005096824.tif 000007
【図６】
2005096824.tif 000008
【図７】
2005096824.tif 000009
【図８】
2005096824.tif 000010
【図９】
2005096824.tif 000011